(57)【特許請求の範囲】
【請求項１】
その外周に保温用のシリンダが被着された直管形またはＵ字形の蛍光ランプに高周波電源から高周波電力を供給し点灯させてなる蛍光ランプ照明装置であって、
高周波電源に接続される蛍光ランプの電極の、該高周波電力に含まれる直流成分の負側となる一端側のランプ管壁と前記シリンダとの間に、同ランプ管壁の温度低下を防止する温度維持手段を設け、この温度維持手段を、その一端側が前記高周波電源に熱的接続される伝熱部材にて形成したことを特徴とする蛍光ランプ照明装置。
【発明の詳細な説明】
【０００１】
【発明の属する技術分野】
本発明は、保温用のシリンダがその外周に被着された直管形またはＵ字形の蛍光ランプを有する、低温下においても使用可能とした蛍光ランプ照明装置に関するものである。
【０００２】
【従来の技術】
従来から、低温倉庫などの低温下においても光束を低下させることなく点灯可能な蛍光ランプ照明装置が提案されている。この低温用照明器具Ａは、図１５に示す如く、例えば直管形の蛍光ランプ２の外周に、透光性をもった合成樹脂製の保温用のシリンダ４を被着させて、その直管形を蛍光ランプ２を略密閉するように形成されいる。
【０００３】
したがって、上記構成の低温用の蛍光ランプ照明装置は、予め予定されている低温域の使用温度条件下において使用することができるとともに、ランプ交換もシリンダ４を取り外すのみにて行うことができる。
【０００４】
【発明が解決しようとする課題】
しかしながら、上記従来の技術においては、ランプから発せられる光束が、蛍光ランプ２のランプ管壁の温度低下にて低温域のある一定温度以下の使用温度条件における値をピークとして、さらに低温領域下において著しく低下することがあった。すなわち、ある一定の温度以下においては蛍光ランプ２が点灯始動性能があってもそのランプから発せられる光束が少なくなるため実用にそぐわないことがあった。
【０００５】
ところで、上記蛍光ランプの点灯用に、電子安定器と呼ばれている高周波電源８から高周波電力を供給する点灯回路を使用した蛍光ランプ照明装置がある。この場合、高周波電力に数Ｖ程度の直流電圧成分が含まれるため、ある一定の温度以下において蛍光ランプ２の温度が低下し、ランプ管内の水銀蒸気の拡散力が低下したときに、ランプ管内における直流電界により該直流電圧成分の負側となる電極へ向けてプラスイオンである水銀イオンが引き寄せられることとなる。そのため、その反対側の直流電圧成分において正側となる電極側に水銀イオンがほとんど無くなってしまい、その蛍光ランプの一端側から発せられる光束が著しく減少するという問題があった。なお、蛍光ランプ２の外周に設けられる上記シリンダ４の密閉性をより向上させることも対策として考えられるが、ランプ交換のメンテナンス性を維持しながらシリンダ４の密閉性を高めようとした場合、構成が複雑となってコスト高になることが懸念された。
【０００６】
本発明は、上記事由に鑑みてなしたもので、その目的とするところは、高周波電源等の電源から電力を供給して、シリンダ内部の直管形またはＵ字形の蛍光ランプをより低温下において安定に点灯できる蛍光ランプ照明装置を提供することにある。
【０００７】
【課題を解決するための手段】
上記目的を達成するために、本発明の蛍光ランプ照明装置にあっては、その外周に保温用のシリンダが被着された直管形またはＵ字形の蛍光ランプに高周波電源から高周波電力を供給し点灯させてなる蛍光ランプ照明装置であって、高周波電源に接続される蛍光ランプの電極の、該高周波電力に含まれる直流成分の負側となる一端側のランプ管壁と前記シリンダとの間に、同ランプ管壁の温度低下を防止する温度維持手段を設け、この温度維持手段を、その一端側が前記高周波電源に熱的接続される伝熱部材にて形成したことを特徴としている。
【０００８】
これにより、高周波電源から高周波電力を供給し点灯される蛍光ランプ照明装置の高周波電源に接続される該高周波電力に含まれる直流成分の負側となる、その外周に保温用のシリンダが被着された直管形またはＵ字形の蛍光ランプの電極の、ランプ管内に密封されているプラスイオンである水銀イオンの引き寄せられる一端側ランプ管壁の温度低下が、そのランプ管壁とシリンダとの間に設けられる温度維持手段にて防止されるうえに、電気的なヒータ部材を用いることなく簡単な構成にてランプ管壁の温度低下をより防止できる。
【００２３】
【発明の実施の形態】
図１乃至図６は、第１の参考例を示し、図７は、第２の参考例を示し、図８、９は、本発明の実施の形態を示し、図１０乃至図１４は、第３の参考例を示している。
【００２４】
［第１の参考例］
図１は、第１の参考例の蛍光ランプ照明装置を示す図で、（ａ）は正面断面図、（ｂ）は側面断面図である。図２は、同蛍光ランプ照明装置の導電部を示す断面図である。図３は、同蛍光ランプ照明装置の説明図である。図４は、同蛍光ランプ照明装置のヒータ部材の斜視図である。図５は、同蛍光ランプ照明装置のヒータ部材の他の参考例を示す斜視図である。図６は、同蛍光ランプ照明装置の、ヒータ部材の他の参考例を示す側面断面図である。
【００２５】
この参考例の蛍光ランプ照明装置は、その外周に保温用のシリンダ４が被着された直管形の蛍光ランプ２に高周波電源８から高周波電力を供給し点灯させてなる蛍光ランプ照明装置１であって、高周波電源８に接続される蛍光ランプ２の電極（図示せず）の、該高周波電力に含まれる直流成分の負側となる一端側のランプ管壁２ａと前記シリンダ４との間に、同ランプ管壁２ａの温度低下を防止する温度維持手段９を設けてなる。
【００２６】
又、該参考例の蛍光ランプ照明装置１においては、温度維持手段９を、その両端部が前記電極への導電部材に電気的接続されるヒータ部材９にて形成してもいる。又、該参考例の蛍光ランプ照明装置１においては、ヒータ部材９は線材の加熱部９ａを有し、その加熱部９ａを前記蛍光ランプ２の端部が脱着自在に挿入可能な環状、若しくは渦巻き状に形成されてもいる。
【００２７】
詳しくは、この蛍光ランプ照明装置１は、高周波電源８を有する装置本体５と、直管形の蛍光ランプ２に被着されるシリンダ４と温度維持手段９とを備えている。
【００２８】
シリンダ４は、この場合、それぞれがアクリル樹脂等の合成樹脂材料製の、直管形の蛍光ランプ２の外径より大きな内径の内シリンダ４１と、この内シリンダ４１の外径より大きな内径の外シリンダ４２とが同心状となるようにシリンダ固定具（図示せず）にて位置決め固定されて形成されている。したがって、内シリンダ４１と外シリンダ４２との間の空間の空気層がランプ管壁２ａの温度低下を防止する保温部となる。この場合、内シリンダ４１とランプ管壁２ａとの間に、後述する温度維持手段９が設けられる。
【００２９】
装置本体５は、高周波電源８を設けるための器具ケース６と、この器具ケース６の下面に設けられる蛍光ランプ２を支持するソケット７とを備えている。器具ケース６は、アルミ材料の押し出し成形に形成された長尺状のケース６１の両端に、合成樹脂製のエンドカバー６２が装着された器具ケース６の内部に、電子安定器である高周波電源８が設けられて形成されている。この装置本体５は、高周波電源８から蛍光ランプ２の、電極への導電部材である口金ピン３を介してその内部の電極に大略４０ｋＨｚの周波数をもった高周波電力を供給し、蛍光ランプ２が点灯するようになっている。
【００３０】
ソケット７は、蛍光ランプ２の口金ピン３を挿入させ支持するように器具ケース６の下面に設けられており、例えばプランジャー式と呼ばれる突き合わせ接触方式のものが使用されている。このソケット７は、図２に示すように、上記口金ピン３の挿入されるソケットケース７１の内側部分に、蛍光ランプ２とともに上記シリンダ４の端部が挿入されるように凹所７ａが形成されている。この凹所７ａの底面には、蛍光ランプ２のランプ管壁２ａとシリンダ４との間の空間を密閉させるための、軟質シート材によるソケットパッキン７２が設けられており、該空間部分を空気層として温度低下を防止するようになっている。また、このソケットケース７１内部には、高周波電源８と内部電線７４にて接続されて口金ピン３に突き合わせ接触され電気的に並列接続される接触金具７３が設けられている。
【００３１】
温度維持手段９は、この場合、図３に示すように、蛍光ランプ２の高周波電源８に接続される、該高周波電力に含まれる直流成分の負側となる電極側の一端に接続されて、該蛍光ランプ２のランプ管壁２ａの温度低下を防止するヒータ部材９である。このヒータ部材９は、図４に示す如く、ニクロム線等の発熱抵抗体である線材であって円環状形成された加熱部９ａが、その直径方向の両端部を導電金属製の支持棒９ｂの先端に溶接されて形成され、また、この支持棒９ｂの基端に、蛍光ランプ２の電極（図示せず）へ導電する導電部材である口金ピン３に電気的接続するための接続片９ｃが設けられている。
【００３２】
加熱部９ａは、蛍光ランプ２の端部を脱着自在に挿入可能としてランプ交換のメンテナンス性を確保させるため、その内径を、蛍光ランプ２のランプ管壁２ａの外径寸法より大きく且つ、上記内シリンダ４１の内径より小さい寸法としてあり、この加熱部９ａと蛍光ランプ２とが同心状となり、その蛍光ランプ２の電極位置となるよう接続片９ｃに位置決め固定されている。そして、加熱部９ａに通電しヒータ部材９にてランプ管壁２ａを加熱することにて、内シリンダ４１内部にてその温度低下をより防止することが可能となる。すなわち上記の負側となる電極側には、蛍光ランプ２のランプ管内に密封されているプラスイオンである水銀イオンの引き寄せられるので、そのランプ管壁２ａと内シリンダ４１との間に設けられるヒータ部材９にて一端側ランプ管壁２ａを加熱し、全体の温度低下を効率的に防止できて点灯を安定化できる。
【００３３】
なお、加熱部９ａは、上記構成によるものの他、例えば図５（ａ）に示すような複数個円環体を設けたもの、あるいは図５（ｂ）に示すように、接続片９ｃから一体に渦巻き状に形成されてなるもの等、各種のものを含む。
【００３４】
上記の蛍光ランプ照明装置１においては、高周波電源８から高周波電力を供給し点灯される蛍光ランプ照明装置１の高周波電源８に接続される該高周波電力に含まれる直流成分の負側となる、その外周に保温用のシリンダ４が被着された直管形の蛍光ランプ２の電極の、ランプ管内に密封されているプラスイオンである水銀イオンの引き寄せられる一端側ランプ管壁２ａとシリンダ４との間に設けられる温度維持手段９であるヒータ部材９を加熱させて、その全体の水銀イオンの温度低下を効率的に防止し点灯させる。
【００３５】
なお、このとき、上記の如く温度維持手段９が、その両端部を前記電極への導電部材に電気的接続されるヒータ部材９にて形成されており、ランプ管壁２ａの温度低下をより防止することが可能となり、また、前記蛍光ランプ２の端部が、ヒータ部材９の線材が環状、若しくは渦巻き状に形成された加熱部９ａに脱着自在に挿入可能であり、ランプ交換のメンテナンスを容易にできる。
【００３６】
したがって、以上説明した蛍光ランプ照明装置１によると、高周波電源８から高周波電力を供給し点灯される蛍光ランプ照明装置の高周波電源８に接続される該高周波電力に含まれる直流成分の負側となる、その外周に保温用のシリンダ４が被着された直管形の蛍光ランプ２の電極の、ランプ管内に密封されているプラスイオンである水銀イオンの引き寄せられる一端側ランプ管壁２ａの温度低下が、そのランプ管壁２ａとシリンダ４との間に設けられる温度維持手段９にて防止されるので、高周波電源８から高周波電力を供給して、シリンダ４内部の直管形の蛍光ランプ２をより低温下において安定に点灯させることができる。
【００３７】
そして、一端側ランプ管壁２ａとシリンダ４との間に設けられる温度低下防止用の温度維持手段９が、その両端部を前記電極への導電部材に電気的接続されたヒータ部材９にて形成されるので、ランプ管壁２ａの温度低下をより防止できる。また、蛍光ランプ２の端部が、ヒータ部材９の線材が環状、若しくは渦巻き状に形成された加熱部９ａに脱着自在に挿入可能とされるので、ランプ交換のメンテナンス性が良好である。
【００３８】
なお、上記のヒータ部材９の設け方は、上記構成による他、例えば図６（ａ）に示すように、上記支持棒９ｂの基端に、蛍光ランプ２の電極へ導電する導電部材の口金ピン３に電気的に並列接続するための、上記の接触金具７３に突き合わせ接触させる接続ピン９ｄを設けてなるもの、あるいは、図６（ｂ）に示すように、上記の接触金具７３の一方のものを蛍光ランプ２の電極へ導電する導電部材の口金ピン３の一方、他方のものを上記支持棒９ｂの基端の接続ピン９ｄの一方へ突き合わせ接触させるとともに、蛍光ランプ２の電極及び加熱部９ａが電気的に直列接続されるよう、接触金具７３を口金ピン３の他方及び支持棒９ｂの基端の他方の接続ピン９ｄが突き合わせ接触される接触金具７５を設けてなるもの等、各種の構成をもって形成できる。
【００３９】
［第２の参考例］
図７は、第２の参考例の蛍光ランプ照明装置を示す側面断面図である。
【００４０】
この参考例の蛍光ランプ照明装置は、ヒータ部材の構成のみが第１の参考例と異なるもので、他の構成部材は第１の参考例のものと同一で、該参考例の蛍光ランプ照明装置１は、ヒータ部材９を、前記電極へ電力供給を行うとともに前記シリンダ４の両端を塞ぐよう配設される、蛍光ランプ２への給電用のソケット部材へ一体化させてなる。
【００４１】
このもののソケット７は、ソケットケース７１の内側部分に、蛍光ランプ２とともに上記シリンダ４の端部が挿入されるように凹所７ａが一体形成されている前述の本体と、この本体とは分離形成される、蛍光ランプ２への給電用のソケット部材に相当する接続ユニット７６とを備えている。この接続ユニット７６は、ゴム等の軟質材によるユニットボディ７７の内部に口金ピン３に給電する導電金属製の受け刃７８を備えて構成されており、また、このユニットボディ７７をシリンダ４へ配設したときにその加熱部９ａが内シリンダ４１内部側に向くように、上記のヒータ部材９がユニットボディ７７に一体化されている。なお、このもののヒータ部材９は、上記の加熱部９ａを支持する支持棒９ｂの基端側に、口金ピン３に電気的接続するための受け刃７８へ分岐接続されるとともに、上記の接触金具７３へ突き合わせ接触し導電する導電部材である接続ピン９ｅが設けられている。
【００４２】
なお、このソケット７においても、ソケットケース７１の凹所７ａの底面には、軟質シート材によるソケットパッキン７２が設けられており、シリンダの空間部分を空気層として温度低下を防止するようになっており、ソケットケース７１内部には高周波電源８と内部電線７４にて接続されて上記接続ピン９ｅに突き合わせ接触され電気的に並列接続される接触金具７３が設けられている。
【００４３】
上記の蛍光ランプ照明装置１においては、まず、シリンダ４の内シリンダ４１内部へ蛍光ランプ２を挿入し、次いで、接続ユニット７６を、その加熱部９ａに蛍光ランプ２の高周波電源８に接続される高周波電力に含まれる直流成分の負側となる端部を塞ぐよう配設する。すなわち、高周波電源８から高周波電力を供給し点灯される蛍光ランプ照明装置１のランプ管内に密封されているプラスイオンである水銀イオンの引き寄せられる一端側に、蛍光ランプ２への給電用のソケット部材である接続ユニット７６を設けて、それに一体化された環状、若しくは渦巻き状に形成されたヒータ部材９の加熱部９ａに挿入させて、ランプ管壁２ａとシリンダ４との間に設け直管形の蛍光ランプ２の外周に保温用のシリンダ４を被着させる。そして、シリンダ４内部が略密封されて上記の一端側ランプ管壁２ａの温度低下が、そのランプ管壁２ａとシリンダ４との間に設けられる接続ユニット７６の加熱部９ａにてより効率的に防止され蛍光ランプ２が点灯されるのである。
【００４４】
したがって、以上説明した蛍光ランプ照明装置１によると、蛍光ランプ２の端部が、電極へ電力供給を行うとともに前記シリンダ４の両端を塞ぐよう配設される蛍光ランプ２への給電用のソケット部材へ一体化された環状、若しくは渦巻き状に形成されたヒータ部材の加熱部９ａに脱着自在に挿入可能とされるので、ランプ管壁２ａの温度低下がより効率的に防止され蛍光ランプ２が点灯される。
【００４５】
［実施の形態］
図８は、本発明の実施の形態の蛍光ランプ照明装置を示す図で、（ａ）は正面断面図、（ｂ）は側面断面図である。図９は、同蛍光ランプ照明装置の他の実施例を示す正面断面図である。
【００４６】
この実施の形態の蛍光ランプ照明装置は、温度維持手段の構成のみが第１の参考例と異なるもので、他の構成部材は第１の参考例のものと同一で、該実施の形態の蛍光ランプ照明装置１は、温度維持手段１０を、その一端側１０ａが前記高周波電源８に熱的接続される伝熱部材１０にて形成している。
【００４７】
詳しくは、このものの温度維持手段１０は、その一端側１０ａの平板部を高周波電源８に密着させて良好に熱的接続させ、他端側１０ｂを蛍光ランプ２のランプ管壁２ａに密着させてランプ管体へ伝熱し加熱する伝熱部材１０で、銅あるいはアルミニウム等の高熱伝導性金属板にて、図８（ａ）の正面断面図、図８（ｂ）の側面断面図に示すように正面視略コ字状に折曲形成されている。なお、この伝熱部材１０は、器具ケース６に設けられている高周波電源８とはソケット７を介してランプ管壁２ａに密着するようになっており、また、その他端側１０ｂは、蛍光ランプ２の端部の挿入を容易にしてランプ交換のメンテナンス性を確保させるため、ランプ管壁２ａ外側周囲に沿うように湾曲させ形成している。すなわち、その一端側１０ａを高周波電源８に熱的接続された伝熱部材１０にて、ランプ管内に密封されているプラスイオンである水銀イオンの引き寄せられる一端側ランプ管壁２ａを加熱させて温度維持がなされる。
【００４８】
したがって、以上説明した蛍光ランプ照明装置１によると、ランプ管内に密封されているプラスイオンである水銀イオンの引き寄せられる一端側１０ａが、その一端側１０ａを前記高周波電源８に熱的接続された伝熱部材１０にて形成されるので、電気的なヒータ部材を用いることなく簡単な構成にてランプ管壁２ａの温度低下をより防止できる。
【００４９】
なお、本発明は、上記によるもの以外に、蛍光ランプ点灯用の電源を上記高周波電源８によらず、一般の安定器を用いた電源にて発熱部材であるその安定器自体の自己発熱によって伝熱部材を介して一端側ランプ管壁２ａを加熱させて温度維持するものであっても良く、また、図９に示すように、ケース６１の端部に高周波電源８等の電源を収容する金属製の電源ケース６３を設け、この電源ケース６３を介して、シリンダ４及びランプ管壁２ａの温度低下を防止するものも含む。
【００５０】
これにより、その外周に保温用のシリンダ４が被着された直管形の蛍光ランプ２の一端側が、蛍光ランプ照明装置の電源の発熱部材またはそれに熱的接続された伝熱部材１０にて暖められるので、シリンダ４内部の直管形の蛍光ランプ２をより低温下において安定に点灯させることができる。
【００５１】
なお、以上までの説明において、蛍光ランプ２を直管形のものを用いた実施の形態を中心にして説明したが、本発明はＵ字形の蛍光ランプのものを含むことは言うまでもない。
【００５２】
［第３の参考例］
図１０は、第３の参考例の蛍光ランプ照明装置の説明図である。図１１は、同蛍光ランプ照明装置の温度維持手段を示す断面図である。図１２は、同蛍光ランプ照明装置の温度維持手段を示す斜視図である。図１３は、同蛍光ランプ照明装置の温度維持手段を示す別の斜視図である。
【００５３】
この参考例の蛍光ランプ照明装置は、装置本体５の設置方向と温度維持手段の構成のみが第１の参考例と異なるもので、他の構成部材は第１の参考例のものと同一で、該参考例の蛍光ランプ照明装置１は、蛍光ランプ２を直管形のものとし、前記温度維持手段の設けられる蛍光ランプ２の一端側がその他端側より上方に位置するよう蛍光ランプ２を斜め、若しくは縦向きに設けている。
【００５４】
詳しくは、このものの温度維持手段１１は、直管形の蛍光ランプ２のランプ管壁２ａに密着することにてランプ管体自体を保温するもので、図１２に示すように、蛍光ランプ２のランプ管壁２ａの外径寸法と略同一内径の断面略Ｃ字状で、その長さ寸法が蛍光ランプ２の端部から電極までの寸法と略同一長さをもった、銅あるいはアルミニウム等の高熱伝導性金属による略円環体１１ａと、この略円環体１１ａに外装されるランプ保持バネ１１ｂにて形成されている。なお、このランプ保持バネ１１ｂも断面略Ｃ字状で、周囲に複数の窓が設けてあってその中央部分が蛍光ランプ２の外径寸法と略同一で最も小さい寸法となるように湾曲させてあり、また、外側周囲には上記内シリンダ４１の内壁に食い込むように突起１１ｃが複数個形成されている。
【００５５】
この蛍光ランプ照明装置１においては、図１０に示すように、上記温度維持手段が、蛍光ランプ２の高周波電源８に接続される高周波電力に含まれる直流成分の負側となる端部に配設され、該高周波電力に含まれる直流成分の正側となる電極の側がその下方となる。そして、この正側には、上記のランプ保持バネ１１ｂのみ設けられた後、蛍光ランプ２の外部にシリンダ４が設けられて、蛍光ランプ２に印加される直流成分の負側となる電極の側が温度維持手段にて保温されて蛍光ランプ２が点灯されるのである。
【００５６】
したがって、以上説明した構成によると、高周波電源８から高周波電力を供給し点灯される蛍光ランプ照明装置１の該高周波電源に接続されて上記温度維持手段の設けられる、その外周に保温用のシリンダ４が被着された直管形の蛍光ランプ２の電極の、該高周波電力に含まれる直流成分の負側となる一端側が、その他端側より上方に位置するよう蛍光ランプ２が斜め若しくは縦向きに設けられる。そして、ランプ管内に密封されているプラスイオンである水銀イオンが、該直流電圧成分の負側で温度維持される上側電極へ向けて直流電界により引き寄せられることとなるので、ランプ管壁２ａの温度低下がさらに効率的に防止され蛍光ランプ２が点灯される。
【００５７】
この温度維持手段は、上記による構造以外に、図１３に示すように、銅あるいはアルミニウム等の高熱伝導性金属による薄板状の、断面略Ｃ字状の略円環体１１ｄとし、この略円環体１１ｄの一端に外方へ向けて、上記内シリンダ４１の内壁に食い込むように舌片１１ｅ，１１ｅを設けて形成しても良い。
【００５８】
また、本参考例の蛍光ランプ照明装置は、上述した構成以外に、図１４に示すように、高周波電源８を有する装置本体５と、直管形の蛍光ランプ２に被着されるシリンダ４とを備え、高周波電源に接続される蛍光ランプ２の電極の、該高周波電力に含まれる直流成分の負側となる一端側がその他端側より上方に位置するよう蛍光ランプを斜め若しくは縦向きに設けるのみであっても良い。すなわち、この場合、ランプ管内における直流電界により該直流電圧成分の負側となる電極へ向けてプラスイオンである水銀イオンが引き寄せられることとなるが、その反対側の直流電圧成分において正側となる電極側には、水銀イオンを重力によってある程度分散されることとなって、蛍光ランプの一端側から発せられる光束が著しく減少することが解消される。
【００５９】
したがって、以上の構成によると、ランプ管内に密封されているプラスイオンである水銀イオンが、高周波電源８に接続される蛍光ランプ２の電極の、該高周波電力の負側となる上側電極へ向けて直流電界により引き寄せられることとなるので、蛍光ランプ２の一端側から発せられる光束が著しく減少することが解消され、以て、高周波電源８から高周波電力を供給して、シリンダ４内部の直管形の蛍光ランプ２をより低温下において安定に点灯させることが出来る。
【００６０】
【発明の効果】
本発明の蛍光ランプ照明装置は、上述の実施態様の如く実施されて、高周波電源から高周波電力を供給し点灯される蛍光ランプ照明装置の高周波電源に接続される該高周波電力に含まれる直流成分の負側となる、その外周に保温用のシリンダが被着された直管形またはＵ字形の蛍光ランプの電極の、ランプ管内に密封されているプラスイオンである水銀イオンの引き寄せられる一端側ランプ管壁の温度低下が、そのランプ管壁とシリンダとの間に設けられる温度維持手段にて防止されるので、高周波電源から高周波電力を供給して、シリンダ内部の直管形の蛍光ランプをより低温下において安定に点灯させることができるうえに温度維持手段が、その一端側を前記高周波電源に熱的接続された伝熱部材にて形成されるので、電気的なヒータ部材を用いることなく簡単な構成にてランプ管壁の温度低下をより防止できる。
【００６８】
【図面の簡単な説明】
【図１】本発明の第１の参考例の蛍光ランプ照明装置を示す図で、（ａ）は正面断面図、（ｂ）は側面断面図である。
【図２】同蛍光ランプ照明装置の導電部を示す断面図である。
【図３】同蛍光ランプ照明装置の説明図である。
【図４】同蛍光ランプ照明装置のヒータ部材の斜視図である。
【図５】同蛍光ランプ照明装置のヒータ部材の他の実施例を示す斜視図である。
【図６】同蛍光ランプ照明装置の、ヒータ部材の他の実施例を示す側面断面図である。
【図７】第２の参考例の蛍光ランプ照明装置を示す側面断面図である。
【図８】本発明の実施の形態の蛍光ランプ照明装置を示す図で、（ａ）は正面断面図、（ｂ）は側面断面図である。
【図９】同蛍光ランプ照明装置の他の実施例を示す正面断面図である。
【図１０】第３の参考例の蛍光ランプ照明装置の説明図である。
【図１１】同蛍光ランプ照明装置の温度維持手段を示す断面図である。
【図１２】同蛍光ランプ照明装置の温度維持手段を示す斜視図である。
【図１３】同蛍光ランプ照明装置の温度維持手段を示す別の斜視図である。
【図１４】本発明の他の参考例を示す蛍光ランプ照明装置の説明図である。
【図１５】本発明の従来例である蛍光ランプ照明装置を示す説明図である。
【符号の説明】
１    蛍光ランプ照明装置
２    蛍光ランプ
２ａ  ランプ管壁
４    シリンダ
８    高周波電源
９    ヒータ部材（温度維持手段）
９ａ  加熱部
１０  伝熱部材（温度維持手段）
１１  温度維持手段
【図１】
0003575353.tif 000002
【図２】
0003575353.tif 000003
【図３】
0003575353.tif 000004
【図４】
0003575353.tif 000005
【図５】
0003575353.tif 000006
【図６】
0003575353.tif 000007
【図７】
0003575353.tif 000008
【図８】
0003575353.tif 000009
【図９】
0003575353.tif 000010
【図１０】
0003575353.tif 000011
【図１１】
0003575353.tif 000012
【図１２】
0003575353.tif 000013
【図１３】
0003575353.tif 000014
【図１４】
0003575353.tif 000015
【図１５】
0003575353.tif 000016